(57)【要約】【課題】基板ケースに収納された状態で基板に装着された部品が不正に交換されることを防止できる遊技機を提供すること。【解決手段】遊技者に対して有利度を付与する制御に関連する電子部品（演出用データＲＯＭ９９ａ〜９９ｄ）が装着される回路基板（演出ＲＯＭ基板９０ｂ）と、前記回路基板を収納する基板ケース（演出制御基板ケース８００）と、痕跡を残さずに基板ケースを開封できないように封止する封止手段（封止片８１５ａ，８１５ｂ、８１６ａ，８１６ｂ、ベース側溶着部９００及びカバー側溶着部９０１）と、前記基板ケースに収納された回路基板に装着された電子部品の取り外しを規制する取り外し規制手段（ＲＯＭカバー９２０）と、を備える。【選択図】図１０
2015171444.tif 000002
【特許請求の範囲】
【請求項１】
遊技を行うことが可能な遊技機において、
遊技者に対して有利度を付与する制御に関連する電子部品が装着される回路基板と、
前記回路基板を収納する基板ケースと、
痕跡を残さずに基板ケースを開封できないように封止する封止手段と、
前記基板ケースに収納された回路基板に装着された電子部品の取り外しを規制する取り外し規制手段と、
を備える
ことを特徴とする遊技機。
【発明の詳細な説明】
【技術分野】
【０００１】
本発明は、所定の遊技を行うことが可能なパチンコ遊技機またはスロットマシン等の遊技機に関する。
【背景技術】
【０００２】
この種の遊技機には、遊技機に関する制御や演出に関する制御を行う各種基板が設けられており、これら基板に装着されたマイクロコンピュータやＲＯＭ等の部品を不正な部品に交換する等の不正行為を防止するために、開封するとその痕跡が残るようにした基板ケースに基板を収納して遊技機に取り付けるようにしたものが提案されている（例えば、特許文献１参照）。
【先行技術文献】
【特許文献】
【０００３】
【特許文献１】特開２００８−２２０７２１号公報
【発明の概要】
【発明が解決しようとする課題】
【０００４】
特許文献１に記載の遊技機では、基板ケースが開封されることで、その痕跡が残り、不正行為がなされた可能性を発見可能となるが、基板ケースを開封せずにケースをゆがませることでできた隙間から基板に装着された正規の部品を取り外して不正な部品に交換された場合に、その痕跡が残らず、不正行為がされた可能性を発見できない虞がある。
【０００５】
本発明は、このような問題点に着目してなされたもので、基板ケースに収納された状態で基板に装着された部品が不正に交換されることを防止できる遊技機を提供することを目的とする。
【課題を解決するための手段】
【０００６】
前記課題を解決するために、本発明の手段１の遊技機は、
遊技を行うことが可能な遊技機（例えば、スロットマシン１）において、
遊技者に対して有利度を付与する制御に関連する電子部品（例えば、演出用データＲＯＭ９９ａ〜９９ｄなど）が装着される回路基板（例えば、演出ＲＯＭ基板９０ｂ）と、
前記回路基板を収納する基板ケース（例えば、演出制御基板ケース８００）と、
痕跡を残さずに基板ケースを開封できないように封止する封止手段（例えば、封止片８１５ａ，８１５ｂ、封止片８１６ａ，８１６ｂ及びワンウェイネジ８６０、ベース側溶着部９００及びカバー側溶着部９０１、規制溝８１８ａ〜８１８ｄ及び規制突起８６８ａ〜８６８ｄ、係止片８７０ａ，８７０ｂ及び被係止部材８２４ａ，８２４ｂ）と、
前記基板ケースに収納された回路基板に装着された電子部品の取り外しを規制する取り外し規制手段（例えば、ＲＯＭカバー９２０）と、
を備える
ことを特徴としている。
この特徴によれば、基板ケースに収納された回路基板に装着された電子部品の取り外しが規制されるため、基板ケースを開封せずに回路基板に装着された電子部品を取り外して不正な部品に交換されることを防止できる。
【０００７】
尚、痕跡を残さずに基板ケースを開封できないように封止する封止手段とは、例えば、一度封止したら基板ケースの封止に関連する箇所を破壊しない限り開封できないものや、開封することで開封痕や傷跡等を残すことなく開封できないものが該当する。
また、遊技者に対して有利度を付与する制御に関連する電子部品とは、遊技者に対して有利度を付与する制御を行うマイクロコンピュータ、遊技者に対して有利度を付与する制御を行うためのプログラムやデータが格納されたＲＯＭ等の記憶手段などが該当する。
また、遊技者に対して付与する有利度とは、メダルやパチンコ球等の遊技に用いる遊技媒体、遊技者所有の遊技媒体として記憶された遊技価値（いわゆるクレジット）、遊技者にとって有利な特典などが該当する。
ここで遊技者にとって有利な特典とは、遊技者にとって有利な有利状態へ移行させることが可能となる権利（有利状態を発生するか否かを決定する抽選に当選すること、有利状態へ移行する入賞が許容されることなど）、遊技者にとって有利な操作態様が報知される権利、遊技用価値が付与される期待値が高い遊技状態に制御される権利、現在の遊技状態が遊技者にとって有利な遊技状態か否かが報知される権利、有利状態に制御される期間（固定ゲーム数、終了条件によって変動するゲーム数の平均値等）など、遊技者にとって直接的な有利な特典であっても良いし、遊技者にとって直接的に有利ではないが、例えば、インターネット上で特典を得るための条件となる等、遊技者にとって間接的に有利な特典であっても良い。
【０００８】
本発明の手段２の遊技機は、手段１に記載の遊技機であって、
前記取り外し規制手段は、前記回路基板（例えば、演出ＲＯＭ基板９０ｂ）に取り付けられ、または前記回路基板の取付部材に取り付けられ、前記電子部品（例えば、演出用データＲＯＭ９９ａ〜９９ｄなど）の少なくとも一部を被覆する被覆部材（例えば、ＲＯＭカバー９２０）を含む
ことを特徴としている。
この特徴によれば、簡単な構造で基板ケースに収納された回路基板に装着された電子部品の取り外しを規制することができる。
【０００９】
本発明の手段３の遊技機は、手段１または２に記載の遊技機であって、
前記取り外し規制手段は、前記電子部品（例えば、演出用データＲＯＭ９９ａ〜９９ｄなど）の取り外しに特殊な治具を要する電子部品のソケット（例えば、ＲＯＭソケット９１０）を含む
ことを特徴としている。
この特徴によれば、電子部品の取り外しに特殊な治具を要するため、基板ケースを開封せずに基板ケースに収納された回路基板に装着された電子部品を取り外すことが不能となる。
【００１０】
本発明の手段４の遊技機は、手段１〜３のいずれかに記載の遊技機であって、
前記取り外し規制手段は、前記基板ケース（例えば、演出制御基板ケース８００）に前記回路基板（例えば、演出ＲＯＭ基板９０ｂ）が収納された状態において、前記基板ケースの内面と前記電子部品（例えば、演出用データＲＯＭ９９ａ〜９９ｄなど）の上面との間隔が該電子部品を取り外し不能な間隔となる位置に前記回路基板が配置される構造を含む（図１１（Ａ）（Ｂ）、図１７（Ａ）（Ｂ）、図１８（Ａ）（Ｂ）参照）
ことを特徴としている。
この特徴によれば、基板ケースに収納された状態では、基板ケースの内面によって回路基板に装着された電子部品を取り外すことが不能となる。
【００１１】
本発明の手段５の遊技機は、手段１〜３のいずれかに記載の遊技機であって、
前記取り外し規制手段は、前記基板ケース（例えば、演出制御基板ケース８００）の内側における前記電子部品（例えば、演出用データＲＯＭ９９ａ〜９９ｄなど）の対応する位置に突出部（例えば、突出部８５３）を有し、前記基板ケースに前記回路基板が収納された状態において、前記突出部と前記電子部品の上面との間隔が該電子部品を取り外し不能な間隔となる構造を含む（図１７（Ｂ）参照）
ことを特徴としている。
この特徴によれば、基板ケースに収納された状態では、突出部によって回路基板に装着された電子部品を取り外すことが不能となる。
【００１２】
本発明の手段６の遊技機は、手段１〜５のいずれかに記載の遊技機であって、
前記基板ケース（例えば、演出制御基板ケース８００）は、ベース体（例えば、ベース部材８０１）とカバー体（例えば、カバー部材８０２）とからなり、前記ベース体と前記カバー体の間に前記回路基板を収納し、
前記ベース体と前記カバー体との隙間が前記電子部品の厚みよりも小さい
ことを特徴としている。
この特徴によれば、ベース体とカバー体との隙間を介して回路基板に装着された電子部品の交換が不能となる。
【００１３】
尚、本発明は、本発明の請求項に記載された発明特定事項のみを有するものであって良いし、本発明の請求項に記載された発明特定事項とともに該発明特定事項以外の構成を有するものであっても良い。
【図面の簡単な説明】
【００１４】
【図１】本発明を適用した実施例の遊技機としてのスロットマシンの正面図である。
【図２】スロットマシンの内部構造、及びラベル貼着部材及び不正防止部材の取付状態を示す斜視図である。
【図３】スロットマシンの構成を示すブロック図である。
【図４】（Ａ）は演出制御基板ケースを示す斜視図、（Ｂ）は背面図である。
【図５】演出制御基板ケースの構成を斜め後ろから見た状態を示す分解斜視図である。
【図６】演出制御基板ケースの構成を斜め前から見た状態を示す分解斜視図である。
【図７】ベース部材を示す正面図である。
【図８】カバー部材を示す正面図である。
【図９】（Ａ）はカバー部材が第２閉塞位置、（Ｂ）は第１閉塞位置にある状態を示す概略図である。
【図１０】図４（Ｂ）のＡ−Ａ断面図である。
【図１１】（Ａ）（Ｂ）はＲＯＭカバーを示す断面図、（Ｃ）（Ｄ）はＲＯＭソケットに対する演出用データＲＯＭの着脱態様を示す断面図である。
【図１２】図４（Ｂ）のＢ−Ｂ断面図である。
【図１３】図４（Ｂ）のＣ−Ｃ断面図である。
【図１４】（Ａ）はベース側溶着部及び切断部を示す正面図、（Ｂ）は（Ａ）のＥ−Ｅ断面図、（Ｃ）はカバー側溶着部及び切断部を示す正面図、（Ｄ）は（Ａ）のＦ−Ｆ断面図である。
【図１５】（Ａ）は溶着前のベース側溶着部とカバー側溶着部及び切断部を示す断面図、（Ｂ）は溶着後のベース側溶着部とカバー側溶着部及び切断部を示す断面図である。
【図１６】不正行為の一例を説明する概略図である。
【図１７】（Ａ）（Ｂ）は変形例としての演出用データＲＯＭとカバー部材との関係を説明するである。
【図１８】（Ａ）（Ｂ）は変形例としての演出用データＲＯＭとカバー部材との関係を説明するである。
【図１９】本発明の変形例としての基板ケースを示す図であり、（Ａ）はベース部材の正面図、（Ｂ）はカバー部材の背面図、（Ｃ）（Ｄ）は基板ケースの要部断面図である。
【図２０】本発明の変形例としての基板ケースを示す図であり、（Ａ）は基板ケースの正面図、（Ｂ）は基板ケースの分解断面図、（Ｃ）は基板ケースの断面図である。
【発明を実施するための形態】
【００１５】
本発明に係る遊技機を実施するための形態を実施例に基づいて以下に説明する。
【実施例】
【００１６】
本発明が適用された遊技機の実施例としてのスロットマシンを図面を用いて説明すると、本実施例のスロットマシン１は、図１に示すように、前面が開口する筐体１ａと、この筐体１ａの側端に回動自在に枢支された前面扉１ｂと、から構成されている。
【００１７】
本実施例のスロットマシン１の筐体１ａの内部には、図２に示すように、外周に複数種の図柄が配列されたリール２Ｌ、２Ｃ、２Ｒ（以下、左リール、中リール、右リール）が水平方向に並設されており、図１に示すように、これらリール２Ｌ、２Ｃ、２Ｒに配列された図柄のうち連続する３つの図柄が前面扉１ｂの略中央に設けられた透視窓３から見えるように配置されている。
【００１８】
リール２Ｌ、２Ｃ、２Ｒの外周部には、互いに識別可能な複数種類の図柄が所定の順序で、それぞれ２１個ずつ描かれている。リール２Ｌ、２Ｃ、２Ｒの外周部に描かれた図柄は、透視窓３において各々上中下三段に表示される。
【００１９】
各リール２Ｌ、２Ｃ、２Ｒは、各々対応して設けられリールモータ３２Ｌ、３２Ｃ、３２Ｒ（図３参照）によって回転させることで、各リール２Ｌ、２Ｃ、２Ｒの図柄が透視窓３に連続的に変化しつつ表示されるとともに、各リール２Ｌ、２Ｃ、２Ｒの回転を停止させることで、透視窓３に３つの連続する図柄が表示結果として導出表示されるようになっている。
【００２０】
リール２Ｌ、２Ｃ、２Ｒの内側には、リール２Ｌ、２Ｃ、２Ｒそれぞれに対して、基準位置を検出するリールセンサ３３Ｌ、３３Ｃ、３３Ｒと、リール２Ｌ、２Ｃ、２Ｒを背面から照射するリールＬＥＤ５５と、が設けられている。また、リールＬＥＤ５５は、リール２Ｌ、２Ｃ、２Ｒの連続する３つの図柄に対応する１２のＬＥＤからなり、各図柄をそれぞれ独立して照射可能とされている。
【００２１】
前面扉１ｂにおける各リール２Ｌ、２Ｃ、２Ｒに対応する位置には、リール２Ｌ、２Ｃ、２Ｒを前面側から透視可能とする横長長方形状の透視窓３が設けられており、該透視窓３を介して遊技者側から各リール２Ｌ、２Ｃ、２Ｒが視認できるようになっている。
【００２２】
前面扉１ｂには、図１に示すように、メダルを投入可能なメダル投入部４、メダルが払い出されるメダル払出口９、クレジット（遊技者所有の遊技用価値として記憶されているメダル数）を用いて、その範囲内において遊技状態に応じて定められた規定数の賭数のうち最大の賭数を設定する際に操作されるＭＡＸＢＥＴスイッチ６、クレジットとして記憶されているメダル及び賭数の設定に用いたメダルを精算する（クレジット及び賭数の設定に用いた分のメダルを返却させる）際に操作される精算スイッチ１０、ゲームを開始する際に操作されるスタートスイッチ７、リール２Ｌ、２Ｃ、２Ｒの回転を各々停止する際に操作されるストップスイッチ８Ｌ、８Ｃ、８Ｒ、後述のメダルセレクタ２９内に詰まったメダルを排出させる際に操作される返却スイッチ２６が遊技者により操作可能にそれぞれ設けられている。
【００２３】
尚、本実施例では、回転を開始した３つのリール２Ｌ、２Ｃ、２Ｒのうち、最初に停止するリールを第１停止リールと称し、また、その停止を第１停止と称する。同様に、２番目に停止するリールを第２停止リールと称し、また、その停止を第２停止と称し、３番目に停止するリールを第３停止リールと称し、また、その停止を第３停止あるいは最終停止と称する。
【００２４】
また、前面扉１ｂには、図１に示すように、クレジットとして記憶されているメダル枚数が表示されるクレジット表示器１１、入賞の発生により払い出されたメダル枚数やエラー発生時にその内容を示すエラーコード等が表示される遊技補助表示器１２、賭数が１設定されている旨を点灯により報知する１ＢＥＴＬＥＤ１４、賭数が２設定されている旨を点灯により報知する２ＢＥＴＬＥＤ１５、賭数が３設定されている旨を点灯により報知する３ＢＥＴＬＥＤ１６、メダルの投入が可能な状態を点灯により報知する投入要求ＬＥＤ１７、スタートスイッチ７の操作によるゲームのスタート操作が有効である旨を点灯により報知するスタート有効ＬＥＤ１８、ウェイト（前回のゲーム開始から一定期間経過していないためにリールの回転開始を待機している状態）中である旨を点灯により報知するウェイト中ＬＥＤ１９、後述するリプレイゲーム中である旨を点灯により報知するリプレイ中ＬＥＤ２０が設けられた遊技用表示部１３が設けられている。
【００２５】
ＭＡＸＢＥＴスイッチ６の内部には、ＭＡＸＢＥＴスイッチ６の操作による賭数の設定操作が有効である旨を点灯により報知するＢＥＴスイッチ有効ＬＥＤ２１（図３参照）が設けられており、ストップスイッチ８Ｌ、８Ｃ、８Ｒの内部には、該当するストップスイッチ８Ｌ、８Ｃ、８Ｒによるリールの停止操作が有効である旨を点灯により報知する左、中、右停止有効ＬＥＤ２２Ｌ、２２Ｃ、２２Ｒ（図３参照）がそれぞれ設けられている。
【００２６】
前面扉１ｂの内側には、所定のキーによる後述するエラー状態及び後述する打止状態を解除するためのリセット操作を検出するリセットスイッチ２３、後述する設定値の変更中や設定値の確認中にその時点の設定値が表示される設定値表示器２４、所定の契機に打止状態（リセット操作がなされるまでゲームの進行が規制される状態）に制御する打止機能の有効／無効を選択するための打止スイッチ３６ａ、所定の契機に自動精算処理（クレジットとして記憶されているメダルを遊技者の操作によらず精算（返却）する処理）に制御する自動精算機能の有効／無効を選択するための自動精算スイッチ３６ｂ、メダル投入部４から投入されたメダルの流路を、筐体１ａ内部に設けられた後述のホッパータンク３４ａ側またはメダル払出口９側のいずれか一方に選択的に切り替えるための流路切替ソレノイド３０（図３参照）、後述する後通路板１４５を開放するための返却ソレノイド２７、メダル投入部４から投入され、ホッパータンク３４ａ側に流下したメダルを検出する投入メダルセンサ３１（図３参照）を有するメダルセレクタ２９、前面扉１ｂの開放状態を検出するドア開放検出スイッチ２５（図３参照）が設けられている。
【００２７】
筐体１ａ内部には、図２に示すように、前述したリール２Ｌ、２Ｃ、２Ｒ、リールモータ３２Ｌ、３２Ｃ、３２Ｒ（図３参照）、各リール２Ｌ、２Ｃ、２Ｒのリール基準位置をそれぞれ検出可能なリールセンサ３３Ｌ、３３Ｃ、３３Ｒ（図３参照）からなるリールユニット２、外部出力信号を出力するための外部出力基板１０００（図３参照）、メダル投入部４から投入されたメダルを貯留するホッパータンク３４ａ、ホッパータンク３４ａに貯留されたメダルをメダル払出口９より払い出すためのホッパーモータ３４ｂ（図３参照）、ホッパーモータ３４ｂの駆動により払い出されたメダルを検出する払出センサ３４ｃ（図３参照）からなるホッパーユニット３４、電源ボックス１００が設けられている。
【００２８】
ホッパーユニット３４の側部には、ホッパータンク３４ａから溢れたメダルが貯留されるオーバーフロータンク３５が設けられている。オーバーフロータンク３５の内部には、貯留された所定量のメダルを検出可能な満タンセンサ３５ａ（図３参照）が設けられている。
【００２９】
電源ボックス１００の前面には、図２に示すように、設定変更状態または設定確認状態に切り替えるための設定キースイッチ３７、通常時においてはエラー状態や打止状態を解除するためのリセットスイッチとして機能し、設定変更状態においては後述する内部抽選の当選確率（出玉率）の設定値を変更するための設定スイッチとして機能するリセット／設定スイッチ３８、電源をｏｎ／ｏｆｆする際に操作される電源スイッチ３９が設けられている。
【００３０】
尚、電源ボックス１００は、筐体１ａの内部に設けられており、さらに前面扉１ｂは、前述のように店員等が所持する所定のキー操作により開放可能な構成であるため、これら電源ボックス１００の前面に設けられた設定キースイッチ３７、リセット／設定スイッチ３８、電源スイッチ３９は、キーを所持する店員等の者のみが操作可能とされ、遊技者による操作ができないようになっている。また、所定のキー操作により検出されるリセットスイッチ２３も同様である。特に、設定キースイッチ３７は、キー操作により前面扉１ｂを開放したうえで、さらにキー操作を要することから、遊技場の店員のなかでも、設定キースイッチ３７の操作を行うキーを所持する店員のみ操作が可能とされている。また、打止スイッチ３６ａ、自動精算スイッチ３６ｂも、筐体１ａの内部に設けられており、遊技場の店員によるキー操作により前面扉１ｂを開放しなければ操作できないことから、遊技場に設置されている場合に、遊技場の店員のみが操作可能とされ、遊技者が操作することはできないようになっている。
【００３１】
本実施例のスロットマシン１においてゲームを行う場合には、まず、メダルをメダル投入部４から投入するか、あるいはクレジットを使用して賭数を設定する。クレジットを使用するにはＭＡＸＢＥＴスイッチ６を操作すれば良い。遊技状態に応じて定められた規定数の賭数が設定されると、入賞ラインＬＮ（図１参照）が有効となり、スタートスイッチ７の操作が有効な状態、すなわち、ゲームが開始可能な状態となる。尚、遊技状態に対応する規定数のうち最大数を超えてメダルが投入された場合には、その分はクレジットに加算される。
【００３２】
入賞ラインとは、各リール２Ｌ、２Ｃ、２Ｒの透視窓３に表示された図柄の組み合わせが入賞図柄の組み合わせであるかを判定するために設定されるラインである。本実施例では、図１に示すように、リール２Ｌの中段、リール２Ｃの中段、リール２Ｒの中段、すなわち中段に水平方向に並んだ図柄に跨って設定された入賞ラインＬＮのみが入賞ラインとして定められている。尚、本実施例では、１本の入賞ラインのみを適用しているが、複数の入賞ラインを適用しても良い。
【００３３】
ゲームが開始可能な状態でスタートスイッチ７を操作すると、各リール２Ｌ、２Ｃ、２Ｒが回転し、各リール２Ｌ、２Ｃ、２Ｒの図柄が連続的に変動する。この状態でいずれかのストップスイッチ８Ｌ、８Ｃ、８Ｒを操作すると、対応するリール２Ｌ、２Ｃ、２Ｒの回転が停止し、透視窓３に表示結果が導出表示される。
【００３４】
そして全てのリール２Ｌ、２Ｃ、２Ｒが停止されることで１ゲームが終了し、予め定められた図柄の組み合わせ（以下、役とも呼ぶ）が、入賞ラインＬＮ上に各リール２Ｌ、２Ｃ、２Ｒの表示結果として停止した場合には入賞が発生し、その入賞に応じて定められた枚数のメダルが遊技者に対して付与され、クレジットに加算される。また、クレジットが上限数（本実施例では５０）に達した場合には、メダルが直接メダル払出口９（図１参照）から払い出されるようになっている。また、入賞ラインＬＮ上に、遊技状態の移行を伴う図柄の組み合わせが各リール２Ｌ、２Ｃ、２Ｒの表示結果として停止した場合には図柄の組み合わせに応じた遊技状態に移行するようになっている。
【００３５】
尚、本実施例では、スタートスイッチ７の操作が有効な状態でスタートスイッチ７の操作が検出されたときにゲームが開始し、全てのリールが停止したときにゲームが終了する。また、ゲームを実行するための１単位の制御（ゲーム制御）は、前回のゲームの終了に伴う全ての制御が完了したときに開始し、当該ゲームの終了に伴う全ての制御が完了したときに終了する。
【００３６】
また、本実施例では、３つのリールを用いた構成を例示しているが、リールを１つのみ用いた構成、２つのリールを用いた構成、４つ以上のリールを用いた構成としても良く、２以上のリールを用いた構成においては、２以上の全てのリールに導出された表示結果の組み合わせに基づいて入賞を判定する構成とすれば良い。また、本実施例では、物理的なリールにて可変表示装置が構成されているが、液晶表示器などの画像表示装置にて可変表示装置が構成されていても良い。
【００３７】
また、本実施例におけるスロットマシン１にあっては、ゲームが開始されて各リール２Ｌ、２Ｃ、２Ｒが回転して図柄の変動が開始した後、いずれかのストップスイッチ８Ｌ、８Ｃ、８Ｒが操作されたときに、当該ストップスイッチ８Ｌ、８Ｃ、８Ｒに対応するリールの回転が停止して図柄が停止表示される。ストップスイッチ８Ｌ、８Ｃ、８Ｒの操作から対応するリール２Ｌ、２Ｃ、２Ｒの回転を停止するまでの最大停止遅延時間は１９０ｍｓ（ミリ秒）である。
【００３８】
リール２Ｌ、２Ｃ、２Ｒは、１分間に８０回転し、８０×２１（１リール当たりの図柄コマ数）＝１６８０コマ分の図柄を変動させるので、１９０ｍｓの間では最大で４コマの図柄を引き込むことができることとなる。つまり、停止図柄として選択可能なのは、ストップスイッチ８Ｌ、８Ｃ、８Ｒが操作されたときに表示されている図柄と、そこから４コマ先までにある図柄、合計５コマ分の図柄である。
【００３９】
このため、例えば、ストップスイッチ８Ｌ、８Ｃ、８Ｒのいずれかが操作されたときに当該ストップスイッチに対応するリールの下段に表示されている図柄を基準とした場合、当該図柄から４コマ先までの図柄を下段に表示させることができるため、リール２Ｌ、２Ｃ、２Ｒ各々において、ストップスイッチ８Ｌ、８Ｒのうちいずれかが操作されたときに当該ストップスイッチに対応するリールの中段に表示されている図柄を含めて５コマ以内に配置されている図柄を入賞ライン上に表示させることができる。
【００４０】
図３は、スロットマシン１の構成を示すブロック図である。スロットマシン１には、図３に示すように、遊技制御基板４０、演出制御基板９０ａ、演出ＲＯＭ基板９０ｂ、電源基板１０１が設けられており、遊技制御基板４０によって遊技状態が制御され、演出制御基板９０ａ及び演出ＲＯＭ基板９０ｂによって遊技状態に応じた演出が制御され、電源基板１０１によってスロットマシン１を構成する電気部品の駆動電源が生成され、各部に供給される。
【００４１】
また、電源基板１０１には、前述したホッパーモータ３４ｂ、払出センサ３４ｃ、満タンセンサ３５ａ、設定キースイッチ３７、リセット／設定スイッチ３８、電源スイッチ３９が接続されている。
【００４２】
遊技制御基板４０には、前述したＭＡＸＢＥＴスイッチ６、スタートスイッチ７、ストップスイッチ８Ｌ、８Ｃ、８Ｒ、精算スイッチ１０、返却スイッチ２６、リセットスイッチ２３、打止スイッチ３６ａ、自動精算スイッチ３６ｂ、投入メダルセンサ３１ａ〜ｃ、ドア開放検出スイッチ２５、リールセンサ３３Ｌ、３３Ｃ、３３Ｒが接続されているとともに、電源基板１０１を介して前述した払出センサ３４ｃ、満タンセンサ３５ａ、設定キースイッチ３７、リセット／設定スイッチ３８が接続されており、これら接続されたスイッチ類の検出信号が入力されるようになっている。
【００４３】
また、遊技制御基板４０には、前述したクレジット表示器１１、遊技補助表示器１２、１〜３ＢＥＴＬＥＤ１４〜１６、投入要求ＬＥＤ１７、スタート有効ＬＥＤ１８、ウェイト中ＬＥＤ１９、リプレイ中ＬＥＤ２０、ＢＥＴスイッチ有効ＬＥＤ２１、左、中、右停止有効ＬＥＤ２２Ｌ、２２Ｃ、２２Ｒ、返却中ＬＥＤ２８、設定値表示器２４、流路切替ソレノイド３０、返却ソレノイド２７、リールモータ３２Ｌ、３２Ｃ、３２Ｒが接続されているとともに、電源基板１０１を介して前述したホッパーモータ３４ｂが接続されており、これら電気部品は、遊技制御基板４０に搭載された後述のメイン制御部４１の制御に基づいて駆動されるようになっている。
【００４４】
遊技制御基板４０には、メイン制御部４１、制御用クロック生成回路４２、乱数用クロック生成回路４３、スイッチ検出回路４４、モータ駆動回路４５、ソレノイド駆動回路４６、ＬＥＤ駆動回路４７、電断検出回路４８、リセット回路４９が搭載されている。
【００４５】
メイン制御部４１は、遊技の進行に関する処理を行うととともに、遊技制御基板４０に搭載された制御回路の各部を直接的または間接的に制御する。特に、メイン制御部４１が行う制御は、入賞の発生を許容するか否かを決定する内部抽選等、遊技者に対して有利度を付与する制御を含む。
【００４６】
制御用クロック生成回路４２は、メイン制御部４１の外部にて、所定周波数の発振信号となる制御用クロックＣＣＬＫを生成する。乱数用クロック生成回路４３は、メイン制御部４１の外部にて、制御用クロックＣＣＬＫの発振周波数とは異なる所定周波数の発振信号となる乱数用クロックＲＣＬＫを生成する。
【００４７】
スイッチ検出回路４４は、遊技制御基板４０に直接または電源基板１０１を介して接続されたスイッチ類から入力された検出信号を取り込んでメイン制御部４１に伝送する。モータ駆動回路４５は、メイン制御部４１から出力されたモータ駆動信号をリールモータ３２Ｌ、３２Ｃ、３２Ｒに伝送する。ソレノイド駆動回路４６は、メイン制御部４１から出力されたソレノイド駆動信号を流路切替ソレノイド３０、返却ソレノイド２７に伝送する。ＬＥＤ駆動回路４７は、メイン制御部４１から出力されたＬＥＤ駆動信号を遊技制御基板４０に接続された各種表示器やＬＥＤに伝送する。電断検出回路４８は、スロットマシン１に供給される電源電圧を監視し、電圧低下を検出したときに、その旨を示す電圧低下信号をメイン制御部４１に対して出力する。リセット回路４９は、電源投入時または電源遮断時などの電源が不安定な状態においてメイン制御部４１にシステムリセット信号を与える。
【００４８】
本実施例においてメイン制御部４１は、サブ制御部９１に各種のコマンドを送信する。メイン制御部４１からサブ制御部９１へ送信されるコマンドは一方向のみで送られ、サブ制御部９１からメイン制御部４１へ向けてコマンドが送られることはない。
【００４９】
演出制御基板９０ａには、液晶表示器５１、演出効果ＬＥＤ５２、スピーカ５３、５４、リールＬＥＤ５５、演出用スイッチ５６等の演出装置が接続されており、これら演出装置は、演出制御基板９０ａに搭載された後述のサブ制御部９１による制御に基づいて駆動されるようになっている。
【００５０】
尚、本実施例では、演出制御基板９０ａに搭載されたサブ制御部９１により、液晶表示器５１、演出効果ＬＥＤ５２、スピーカ５３、５４、リールＬＥＤ５５、演出用スイッチ５６等の演出装置の出力制御が行われる構成であるが、サブ制御部９１とは別に演出装置の出力制御を直接的に行う出力制御部を演出制御基板９０または他の基板に搭載し、サブ制御部９１がメイン制御部４１からのコマンドに基づいて演出装置の出力パターンを決定し、サブ制御部９１が決定した出力パターンに基づいて出力制御部が演出装置の出力制御を行う構成としても良く、このような構成では、サブ制御部９１及び出力制御部の双方によって演出装置の出力制御が行われることとなる。
【００５１】
また、本実施例では、演出装置として液晶表示器５１、演出効果ＬＥＤ５２、スピーカ５３、５４、リールＬＥＤ５５、演出用スイッチ５６を例示しているが、演出装置は、これらに限られず、例えば、機械的に駆動する表示装置などを演出装置として適用しても良い。
【００５２】
演出ＲＯＭ基板９０ｂには、後述のサブ制御部９１が演出に関する制御を行うためのプログラム、演出に用いる演出用データが格納された演出用データＲＯＭ９９ａ〜ｄが搭載されている。演出ＲＯＭ基板９０ｂは、演出制御基板９０ａと接続されており、演出制御基板９０ａに搭載された後述のサブ制御部９１が、演出用データＲＯＭ９９ａ〜ｄに格納されたプログラム、演出用データを読出可能とされている。
【００５３】
演出制御基板９０には、演出の制御を行うサブ制御部９１、演出制御基板９０に接続された液晶表示器５１の表示制御を行う表示制御回路９２、演出効果ＬＥＤ５２、リールＬＥＤ５５の駆動制御を行うＬＥＤ駆動回路９３、スピーカ５３、５４からの音声出力制御を行う音声出力回路９４、電源投入時またはサブＣＰＵ９１ａからの初期化命令が一定時間入力されないときにサブＣＰＵ９１ａにリセット信号を与えるリセット回路９５、演出制御基板９０に接続されたスイッチ類から入力された検出信号を検出するスイッチ検出回路９６、日付情報及び時刻情報を含む時間情報を出力する時計装置９７、スロットマシン１に供給される電源電圧を監視し、電圧低下を検出したときに、その旨を示す電圧低下信号をサブＣＰＵ９１ａに対して出力する電断検出回路９８、その他の回路等、が搭載されており、サブＣＰＵ９１ａは、遊技制御基板４０から送信されるコマンドを受けて、演出を行うための各種の制御を行うとともに、演出制御基板９０に搭載された制御回路の各部を直接的または間接的に制御する。特に、サブ制御部９１が行う制御は、遊技者にとって有利な情報（遊技者にとって有利な表示態様を導出させるための操作態様等）を報知する報知演出の実行、これら報知演出を実行するか否かの決定等、遊技者に対して有利度を付与する制御を含む。
【００５４】
次に、演出制御基板９０ａ及び演出ＲＯＭ基板９０ｂを収納する基板ケース８００の構造について、図４〜図１６を用いて説明する。図４は、（Ａ）は演出制御基板ケースを示す斜視図、（Ｂ）は背面図である。図５は、演出制御基板ケースの構成を斜め後ろから見た状態を示す分解斜視図である。図６は、演出制御基板ケースの構成を斜め前から見た状態を示す分解斜視図である。図７は、ベース部材を示す正面図である。図８は、カバー部材を示す正面図である。図９は、（Ａ）はカバー部材が第２閉塞位置、（Ｂ）は第１閉塞位置にある状態を示す概略図である。図１０は、図４（Ｂ）のＡ−Ａ断面図である。図１１は、（Ａ）（Ｂ）はＲＯＭカバーを示す断面図、（Ｃ）（Ｄ）はＲＯＭソケットに対する演出用データＲＯＭの着脱態様を示す断面図である。図１２は、図４（Ｂ）のＢ−Ｂ断面図である。図１３は、図４（Ｂ）のＣ−Ｃ断面図である。図１４は、（Ａ）はベース側溶着部及び切断部を示す正面図、（Ｂ）は（Ａ）のＥ−Ｅ断面図、（Ｃ）はカバー側溶着部及び切断部を示す正面図、（Ｄ）は（Ａ）のＦ−Ｆ断面図である。図１５は、（Ａ）は溶着前のベース側溶着部とカバー側溶着部及び切断部を示す断面図、（Ｂ）は溶着後のベース側溶着部とカバー側溶着部及び切断部を示す断面図である。図１６は、不正行為の一例を説明する概略図である。尚、以下においては、図２に示すように前面扉１ｂの背面に取り付けられた状態の基板ケース８００をスロットマシン１の正面から見たときの上下、左右、前後方向を基準として説明する。
【００５５】
図４〜図６に示すように、演出制御基板ケース８００（以下、基板ケース８００と略称する）は、前面扉１ｂの背面に設けられた取付板３６０（図２参照）に取り付けられるベース部材８０１と、前面に演出制御基板９０ａ及び演出ＲＯＭ基板９０ｂが取り付けられ、ベース部材８０１の背面を開閉可能に組み付けられるカバー部材８０２と、を有し、図５及び図６に示すように、ベース部材８０１にカバー部材８０２を組み付けることで、演出制御基板９０ａ及び演出ＲＯＭ基板９０ｂを内部に収納した状態で閉止できるようになっている。
【００５６】
演出制御基板９０ａ及び演出ＲＯＭ基板９０ｂが内部に収納された基板ケース８００は、図２に示すように、前面扉１ｂの背面に設けられた取付板３６０に取り付けられるようになっている。
【００５７】
図５〜図７に示すように、ベース部材８０１は、透光性を有する合成樹脂材からなり、平面視長方形状に形成された底板８１０と、底板８１０の背面に立設され右短辺に沿って延設された右側壁８１１と、底板８１０の背面に立設され左短辺に沿って延設された左側壁８９０と、上下の長辺に沿って立設された外側壁８１２ａ，８１２ｂ及び該外側壁８１２ａ，８１２ｂの内側に並設される内側壁８１３ａ，８１３ｂと、を有する。
【００５８】
右側壁８１１の後端における長手方向の中央位置には、カバー部材８０２に係合する凹部８１４が形成されている。右側壁８１１の外面における凹部８１４の縁辺からは、板状のベース側溶着部９００が右方に向けて底板８１０に対し平行をなすように突設されている。また、凹部８１４の上下側には、痕跡を残さずに基板ケース８００を開封できないように封止する封止手段及び痕跡を残さずに基板ケース８００を取付板３６０から取り外せないようにする取付手段を構成する封止片８１５ａ，８１５ｂが突設されている。封止片８１５ａ，８１５ｂには、ワンウェイネジ８１６が螺入されるネジ穴８１７が形成されている。
【００５９】
外側壁８１２ａ，８１２ｂには、Ｌ字形に形成された複数（本実例では４つ）の規制溝８１８ａ〜８１８ｄがそれぞれ形成されている。詳しくは、図５中拡大図に示すように、規制溝８１８ａ〜８１８ｄは、外側壁８１２ａ，８１２ｂの後端から底板８１０に向けて垂設される第１溝８１８ｅと、該第１溝８１８ｅの前端から右側に向けて屈曲し底板８１０に対して平行に延設される第２溝８１８ｆと、から構成されている。
【００６０】
内側壁８１３ａ，８１３ｂの右側には、後述する演出制御基板９０ａ及び演出ＲＯＭ基板９０ｂの上下端縁を支持する支持片８１９ａ，８１９ｂが背面側に向けて突設されている。また、底板８１０におけるこれら支持片８１９ａ，８１９ｂの間には、後述する演出制御基板９０ａ及び演出ＲＯＭ基板９０ｂを支持する支持片８１９ａ，８１９ｂと同高さの第１ボス８２０が上下方向に３つ立設されているとともに、これら第１ボス８２０の近傍位置には、該第１ボス８２０よりも底板８１０からの突出長さが短い円柱状の第２ボス８２１が立設されている。また、底板８１０の背面には、第２ボス８２１より底板８１０からの突出長さが短い補強用リブ８２２が格子状に形成されている。
【００６１】
左側壁８９０の外面には、スライド板部８９１が左側方に向けて底板８１０に対し平行をなすように延設されており、該スライド板部８９１の左側辺における上下位置には、後述するカバー部材８０２の係止片８７０ａ，８７０ｂが差し込み可能な係止孔８２４ｈを構成する被係止部材８２４ａ，８２４ｂが形成されている。被係止部材８２４ａ，８２４ｂは、スライド板部８９１の左側辺に立設された上下一対の支持壁８２５ａ，８２５ｂと、該支持壁８２５ａ，８２５ｂの後端間に架設される係止杆８２５ｃと、から側面視コ字形に形成され、該被係止部材８２４ａ，８２４ｂとスライド板部８９１の左側辺とにより、カバー部材８０２の係止片８７０ａ，８７０ｂが差し込み可能な係止孔８２４ｈが構成されている。
【００６２】
また、スライド板部８９１における被係止部材８２４ａの上側には、背面視凸形状をなす板状の突出部８９２が左側方に向けて底板８１０に対し平行をなすように延設されている。この突出部８９２は左右方向における係止杆８２５ｃの左側辺とほぼ同位置まで延設されている。
【００６３】
また、底板８１０の前面には、断面視Ｌ字形の複数（本実施例では４つ）の取付片８２７ａ〜８２７ｄが左右方向に向けて取り付けられており、前面扉１ｂの背面に設けられた取付板３６０に形成された取付溝（図示略）に押し込んでスライドさせることにより、取付片８２７ａ〜８２７ｄが取付溝（図示略）に係合されるとともに、取付板３６０の背面に対し出没可能に形成された係合爪（図示略）が右側壁８１１に弾性係合して左側へのスライドが規制されることで、前面扉１ｂの背面に基板ケース８００が係止される。
【００６４】
図５、図６及び図８に示すように、カバー部材８０２は、透光性を有する合成樹脂材からなり、平面視長方形状に形成された背板８５０と、右側壁８５１ａ、左側壁８５１ｂ、上下の外側壁８５２ａ，８５２ｂと、により前面側が開口する四角箱状に形成されている。
【００６５】
右側壁８５１ａの外面における長手方向の中央位置には、カバー側溶着部９０１が右側方に向けて背板８５０に対し略平行をなすように突設されている。また、カバー側溶着部９０１の上下には、痕跡を残さずに基板ケース８００を開封できないように封止する封止手段及び痕跡を残さずに基板ケース８００を取付板３６０から取り外せないようにする取付手段を構成する封止片８６１ａ，８６１ｂが突設されている。封止片８６１ａ，８６１ｂは、前述したワンウェイネジ８１６の取付孔８６２が形成される筒状部８６３ａと該筒状部８６３ａと右側壁８５１ａとを連結する連結片８６３ｂとから構成され、連結片８６３ｂをニッパ等の工具により切断することにより封止状態及び取付状態を解除することができるようになっている。
【００６６】
また、右側壁８５１ａの外面には、ベース部材８０１に組み付けた状態において、ベース部材８０１の右側壁８１１の後端に当接する当接片８６４（図１２参照）が突設されている。つまり、右側壁８５１ａはベース部材８０１の右側壁８１１よりも内側（左側）に配置されるようになっている。また、右側壁８５１ａの上下端部には、ベース部材８０１の外側壁８１２ａ，８１２ｂ及び内側壁８１３ａ，８１３ｂを挿通可能とするスリット８６５ａ，８６５ｂが形成されている。
【００６７】
上下長辺の外側壁８５２ａ，８５２ｂの前部外側には、それぞれガイド壁８６７ａ，８６７ｂが所定幅寸法離間して並設されており、これら外側壁８５２ａ，８５２ｂとガイド壁８６７ａ，８６７ｂとの間に、ベース部材８０１の外側壁８１２ａ，８１２ｂを嵌合できるようになっている（図１０参照）。これら外側壁８５２ａ，８５２ｂとガイド壁８６７ａ，８６７ｂとは、ベース部材８０１に対してカバー部材８０２を長手方向に向けてスライド移動させる際のガイド手段を構成している。また、外側壁８５２ａ，８５２ｂとガイド壁８６７ａ，８６７ｂとの間には、規制溝８１８ａ〜８１８ｄに嵌合可能な規制突起８６８ａ〜８６８ｄが双方を連結するように設けられている。
【００６８】
左側壁８５１ｂの上下位置からは、ベース部材８０１の被係止部材８２４ａ，８２４ｂに係止可能な係止片８７０ａ，８７０ｂが側方に向けて突設されている。係止片８７０ａ，８７０ｂは、所定幅を有し背板８５０に対し平行に延設される板状片８７１ａと該板状片８７１ａの先端から背面側、つまりベース部材８０１と反対側に向けて約９０度屈曲する屈曲片８７１ｂとから平面視略Ｌ字形に形成されている。
【００６９】
また、これら係止片８７０ａ，８７０ｂの上下側部には、被係止部材８２４ａ，８２４ｂの支持壁８２５ａ，８２５ｂが差し込み可能な上下一対の切欠溝８７２ａ〜８７２ｄがそれぞれ内側に向けて形成されている。これにより、左側壁８５１ｂから係止片８７０ａ，８７０ｂを大きく突出させなくても、板状片８７１ａの突出長さ寸法を確保することができるため、係止片８７０ａ，８７０ｂの破損等を極力防止することができる。
【００７０】
また、係止片８７０ａの上方には、後述する基板側コネクタＣＮ１〜ＣＮ５に接続されるケーブル（図示略）を被覆するケーブルカバー部３００が形成されている。ケーブルカバー部３００は、図１２に示すように、前面が開放する箱状に形成され、左側壁８５１ｂから左側に突出するように形成され、開口端縁が、ベース部材８０１の底板８１０の前面と前後方向の略同位置に位置するので、前面扉１ｂの背面に設けられた取付板３６０（図２参照）に取り付けたときに、該取付板３６０に前端面が当接するようになっている。また、左側板の前端部には切欠凹部３０１が形成されており、各基板側コネクタＣＮ１〜ＣＮ５に接続されたケーブルを切欠凹部３０１を通して外部に引き出すことができるようになっている。
【００７１】
図６に示すように、カバー部材８０２の前面（内面）には、演出制御基板９０ａの取付位置を決定するための位置決め用ボス８７３と、演出制御基板９０ａを取り付けるためのネジ８７５が取り付けられるネジ穴を有する取付用ボス８７４とが突設されているとともに、演出ＲＯＭ基板９０ｂの取付位置を決定するための位置決め用ボス８７６と、演出ＲＯＭ基板９０ｂを取り付けるためのネジ８７８が取り付けられるネジ穴を有する取付用ボス８７７とが突設されている。
【００７２】
また、ベース部材８０１に突設された第２ボス８２１に対応する位置には、演出ＲＯＭ基板９０ｂの撓みを当接規制する規制用ボス８７９が突設されており、第２ボス８２１と規制用ボス８７９とにより、演出制御基板９０ａと演出ＲＯＭ基板９０ｂとを互いに挟持することにより、後述する基板側コネクタＢＣＮ１，ＢＣＮ２の接続が解除されることが規制されている。
【００７３】
尚、基板ケース８００の基板側コネクタＣＮ１〜ＣＮ５等に対応する位置に挿通孔を形成し、演出制御基板９０ａを基板ケース８００に収容した後、基板側コネクタＣＮ１〜ＣＮ５等に対してケーブル側のコネクタを接続し、さらに一度取り付けると、痕跡を残さずに取り外すことができないコネクタカバーを装着する構成としても良い。
【００７４】
演出制御基板９０ａと演出ＲＯＭ基板９０ｂとは、演出制御基板９０ａに設けられた基板側コネクタＢＣＮ１と演出ＲＯＭ基板９０ｂに設けられた基板側コネクタＢＣＮ２とを介して直接接続され、互いに一体化された状態でカバー部材８０２の内側に取り付けられる。演出制御基板９０ａの背面には、基板側コネクタＣＮ１〜ＣＮ５が設けられている。尚、基板側コネクタＣＮ１〜ＣＮ５は、遊技制御基板４０やリールＬＥＤ５５、演出効果ＬＥＤ５２や他の演出装置に接続されるケーブルのケーブル側コネクタ（図示略）が接続されるコネクタであり、背面側からケーブル側コネクタ（図示略）を接続可能に設けられている。
【００７５】
演出ＲＯＭ基板９０ｂの背面には、複数の演出用データＲＯＭ９９ａ〜９９ｄが取り付けられている。詳しくは、演出用データＲＯＭ９９ａ〜９９ｄは、図１１（Ｃ）（Ｄ）に示すように、演出ＲＯＭ基板９０ｂの背面に設けられたＲＯＭソケット９１０を介して演出ＲＯＭ基板９０ｂに対し着脱可能に取り付けられ、演出ＲＯＭ基板９０ｂに形成された配線パターン（図示略）に接続される。ＲＯＭソケット９１０は、ソケットベース９１１と、該ソケットベース９１１の上下部に設けられた取付片９１２ａ，９１２ｂと、を有する。取付片９１２ａ，９１２ｂは、演出用データＲＯＭ９９ａ〜９９ｄがソケットベース９１１に取り付けられた取付状態とする取付位置（図１１（Ｃ）参照）と、演出用データＲＯＭ９９ａ〜９９ｄをソケットベース９１１に対し取り付け、取り外し可能となる非取付位置（図１１（Ｄ）参照）と、の間でソケットベース９１１に回動可能に設けられている。
【００７６】
また、取付片９１２ａ，９１２ｂが取付位置にあるときに、該取付片９１２ａ，９１２ｂに設けられた係止部（図示略）がソケットベース９１１に形成された被係止部に弾性係止することで、非取付位置への回動が規制されるようになっている。また、この係止部と被係止部の係止状態は、人の手指で解除することは極めて困難とされ、特殊な冶具等（図示略）を介して解除することが可能とされている。
【００７７】
また、演出ＲＯＭ基板９０ｂの背面には、透光性を有する合成樹脂材からなり、ＲＯＭソケット９１０に取り付けられた演出用データＲＯＭ９９ａ〜９９ｄを被覆するＲＯＭカバー９２０が取り付けられる。ＲＯＭカバー９２０は、前面が開口する四角箱状に形成され、演出用データＲＯＭ９９ａ〜９９ｄをまとめて被覆可能な大きさを有しており、左右側辺の上下位置には、演出ＲＯＭ基板９０ｂに取り付けるための取付片９２１ａ〜９２１ｄが突設されている。
【００７８】
そして、これら取付片９２１ａ〜９２１ｄに形成された取付孔に取り付けたリベット９２２ａ〜９２２ｄを、演出ＲＯＭ基板９０ｂに形成された挿通孔に挿通し、演出ＲＯＭ基板９０ｂの前面側に突出したリベット９２２ａ〜９２２ｄの先端を潰すなどして拡径して抜脱を規制する（かしめる）ことで、演出ＲＯＭ基板９０ｂに取り外し不能に取り付けられる。
【００７９】
次に、このように構成されたベース部材８０１とカバー部材８０２とにより演出制御基板９０ａ及び演出ＲＯＭ基板９０ｂを収納する方法について、図５、図６及び図９に基づいて説明する。
【００８０】
まず、図５及び図６に示すように、演出制御基板９０ａ及び演出ＲＯＭ基板９０ｂを、基板側コネクタＣＮ１〜ＣＮ５や演出用データＲＯＭ９９ａ〜９９ｄ等の電子部品が実装された実装面を、カバー部材８０２の前面（内面）に対向させた状態で、演出ＲＯＭ基板９０ｂをネジ８７８により、演出制御基板９０ａをネジ８７５によりそれぞれカバー部材８０２に取り付ける。そして演出制御基板９０ａを取り付ける際に、基板側コネクタＢＣＮ１が基板側コネクタＢＣＮ２に接続される。
【００８１】
尚、これら演出制御基板９０ａ及び演出ＲＯＭ基板９０ｂは、演出ＲＯＭ基板９０ｂを取り付けた後に演出制御基板９０ａを取り付けて基板側コネクタＢＣＮ１，ＢＣＮ２同士を接続してもよいし、これら基板側コネクタＢＣＮ１，ＢＣＮ２を接続して一体化した状態でカバー部材８０２に取り付けてもよい。
【００８２】
このように、演出制御基板９０ａ及び演出ＲＯＭ基板９０ｂは、電子部品が実装された実装面をカバー部材８０２に対向させた状態で該カバー部材８０２に取り付けられていることで、ベース部材８０１からカバー部材８０２が開放されても、カバー部材８０２から演出制御基板９０ａ及び演出ＲＯＭ基板９０ｂを取り外さない限り電子部品が実装された実装面が露呈されないので、電子部品に対して不正行為を行う際に、極力手間がかかるようにすることができる。
【００８３】
次いで、カバー部材８０２をベース部材８０１に組み付けるために、カバー部材８０２の係止片８７０ａ，８７０ｂを、図９（Ａ）中２点鎖線で示すように、ベース部材８０１の被係止部材８２４ａ，８２４ｂにより形成された係止孔８２４ｈ内に差し込む。
【００８４】
このとき、ベース部材８０１に対してカバー部材８０２を約９０度の範囲内で傾斜させた傾斜姿勢としても、係止片８７０ａ，８７０ｂを係止孔８２４ｈに差し込むことはできず、ベース部材８０１に対してカバー部材８０２を約９０度回転させた起立姿勢（図９（Ａ）中１点鎖線参照）とし、屈曲片８７１ｂを底板８１０に平行にすれば、係止孔８２４ｈ内に差し込むことが可能となる。
【００８５】
そして、図９（Ａ）に示すように、屈曲片８７１ｂを係止孔８２４ｈ内に差し込んだ状態で、係止杆８２５ｃを中心としてカバー部材８０２の他端側を少し回転させることで、屈曲片８７１ｂは係止孔８２４ｈを挿通するため、係止片８７０ａ，８７０ｂをさらに係止孔８２４ｈ内に押し込む（図中白矢印参照）ことが可能となる。
【００８６】
このとき、図９（Ａ）中拡大図に示すように、切欠溝８７２ａ〜８７２ｄ内に支持壁８２５ａ，８２５ｂが差し込まれることで、係止片８７０ａ，８７０ｂは、板状片８７１ａの基部まで係止孔８２４ｈ内に差し込まれる。この状態でカバー部材８０２をさらに回転させることにより規制突起８６８ａ〜８６８ｄが第１溝８１８ｅに嵌合され、カバー部材８０２がベース部材８０１に対し略平行な倒伏姿勢となる（図９（Ａ）中実線位置参照）。つまり、カバー部材８０２は、ベース部材８０１に対して係止片８７０ａ，８７０ｂの差し込み方向（左方向）にずれた第２閉塞位置（ベース部材８０１の一部がカバー部材８０２により被覆されない位置）にて倒伏姿勢となる。
【００８７】
尚、カバー部材８０２は、係止片８７０ａ，８７０ｂを係止孔８２４ｈ内に差し込まなければ、各規制突起８６８ａ〜８６８ｄを各規制溝８１８ａ〜８１８ｄの第１溝８１８ｅに嵌合できないことから第２閉塞位置に倒伏姿勢にて配置することができない。
【００８８】
次いで、図９（Ｂ）に示すように、ベース部材８０１に対してカバー部材８０２を係止片８７０ａ，８７０ｂの差し込み方向とは逆方向（右方向）にスライドさせて、ベース部材８０１を閉塞する第１閉塞位置に位置させる。具体的には、カバー部材８０２の右側壁８５１ａの外面がベース部材８０１の右側壁８１１の内面に当接するとともに、カバー部材８０２の左側壁８５１ｂの内面がベース部材８０１の左側壁８９０に当接することにより移動規制される位置が第１閉塞位置とされる。そして、第１閉塞位置に位置したときに、封止片８６１ａ，８６１ｂの取付孔８６２と封止片８１５ａ，８１５ｂのネジ穴８１７とが合致し、ワンウェイネジ８１６を螺入可能となるとともに、ベース側溶着部９００の背面側にカバー側溶着部９０１が配置されて溶着可能となる。
【００８９】
また、この移動により、規制突起８６８ａ〜８６８ｄが左右方向を向く第２溝８１８ｆ内を移動し、第１閉塞位置において奥側の端部に配置されることで、カバー部材８０２の開放方向（背面方向）への移動が規制される。
【００９０】
さらに、図９（Ｂ）中拡大図に示すように、切欠溝８７２ａ〜８７２ｄ内から支持壁８２５ａ，８２５ｂが離脱することで、第１閉塞位置において係止杆８２５ｃに屈曲片８７１ｂが当接する。つまり、係止片８７０ａ，８７０ｂは、カバー部材８０２が第２閉塞位置と第１閉塞位置との間を移動する間、係止孔８２４ｈ内に差し込まれた係止状態が維持されるようになっているとともに、第１閉塞位置において、係止杆８２５ｃに屈曲片８７１ｂが当接してスライド移動が規制されることで、係止孔８２４ｈからの逸脱が防止される。
【００９１】
よって、第１閉塞位置においては、カバー部材８０２の上下長辺に形成された規制突起８６８ａ〜８６８ｄが第２溝８１８ｆ内に嵌合されるとともに、ベース側溶着部９００の背面側にカバー側溶着部９０１が配置される（図９（Ｂ）参照）。さらに、左短辺に形成された係止片８７０ａ，８７０ｂは係止杆８２５ｃに係止された状態で維持されていることにより、ベース部材８０１に対するカバー部材８０２の開放方向への移動が規制される。つまり、規制溝８１８ａ〜８１８ｄと規制突起８６８ａ〜８６８ｄは本発明の係止手段を構成している。
【００９２】
また、第１閉塞位置に位置した状態において、基板側コネクタＢＣＮ１，ＢＣＮ２を介して接続された演出制御基板９０ａと演出ＲＯＭ基板９０ｂとが、ベース部材８０１に突設された第２ボス８２１，８２１とカバー部材８０２に突設された規制用ボス８７９とにより、基板側コネクタＢＣＮ１，ＢＣＮ２に対応する位置が前後から挟持されることで、基板側コネクタＢＣＮ１，ＢＣＮ２の接続が解除されることが防止される。
【００９３】
また、演出ＲＯＭ基板９０ｂは、演出制御基板９０ａをカバー部材８０２から取り外さない限りカバー部材８０２から取り外すことができないようになっているので、カバー部材８０２がベース部材８０１から取り外されたとしても、プログラムデータ等が記憶されている演出用データＲＯＭ９９ａ〜９９ｄが搭載された演出ＲＯＭ基板９０ｂを簡単に取り外すことができないようになっている。さらに、演出ＲＯＭ基板９０ｂの上下端縁が、ベース部材８０１の支持片８１９ａ，８１９ｂにより前側から支持されるため、基板の撓み等が防止される。
【００９４】
次いで、図５及び図６に示すように、封止片８６１ａ，８６１ｂの取付孔８６２に背面側からワンウェイネジ８１６を取り付け、封止片８１５ａ，８１５ｂのネジ穴８１７に螺入する。尚、ワンウェイネジ８１６は、ドライバー等の工具によりネジを取り付ける方向に回転させることはできても、ネジを取り外す方向には回転させることができない従来公知のワンウェイネジである。
【００９５】
つまり、取付孔８６２に取り付けたワンウェイネジ８１６をネジ穴８１７に螺入すると、ワンウェイネジ８１６をネジ穴８１７から取り外して、カバー部材８０２をベース部材８０１に対して開放させることが極めて困難となる封止状態が構成される。そして封止状態が構成された場合、例えば連結片８６３ｂをニッパ等の工具にて切断したり、カバー部材８０２やベース部材８０１の一部を破壊するなど、封止に関連する関連部位を破壊しない限り封止状態を解除してカバー部材８０２を開放することができなくなる。
【００９６】
よって、封止状態とされた後にカバー部材８０２を開放する場合、封止に関連する関連部位が破壊された痕跡が必ず残ることになるため、カバー部材８０２が不正に開放された可能性があることを確認することが可能となる。
【００９７】
また、封止状態とした基板ケース８００を取付板３６０に取り付けたときに、封止片８１５ａ，８１５ｂ、８６１ａ，８６１ｂに取り付けられたワンウェイネジ８１６をさらに螺入して、取付板３６０に形成されたネジ孔（図示略）に螺入することで、痕跡を残さずに基板ケース８００を取付板３６０から取り外せないようにすることができる。つまり、封止片８１５ａ，８１５ｂ、８６１ａ，８６１ｂ及びワンウェイネジ８１６は取付手段を構成する。
【００９８】
また、図１２に示すように、各基板側コネクタＣＮ１〜ＣＮ５に接続されたケーブルは、基板ケース８００が取付板３６０に取り付けられた状態において、ケーブルカバー部３００の切欠凹部３０１と取付板３６０との間に形成された隙間から外部に引き出される。このように、基板ケース８００が取付板３６０に取り付けられた状態において、切欠凹部３０１と取付板３６０との間に隙間が形成されることになるが、該隙間には複数本のケーブルが挿通されているとともに、演出用データＲＯＭ９９ａ〜９９ｄから左側に離れた位置に形成されている。さらに、切欠凹部３０１と取付板３６０との間に形成される隙間と演出用データＲＯＭ９９ａ〜９９ｄとの前後位置が異なるようにしているため、この隙間から演出用データＲＯＭ９９ａ〜９９ｄにアクセスすることは困難とされている。
【００９９】
次に、ベース側溶着部９００とカバー側溶着部９０１との溶着について、図１４〜図１６に基づいて説明する。
【０１００】
図１４（Ａ）（Ｂ）に示すように、ベース側溶着部９００は、板状部材からなり、先端には後側に向けて屈曲する規制部９０２ａと、該規制部９０２ａの後端から左側に向けて折り返すように屈曲される被覆部９０２ｂと、からなるフック状の規制片９０２が形成されている。また、ベース側溶着部９００における右側壁８１１側には開口９０７ａが形成されており、該開口９０７ａの上下位置には、ベース側溶着部９００よりも上下寸法が短い連結部９０８ａ，９０８ｂが形成されている。
【０１０１】
ベース側溶着部９００及び連結部９０８ａ，９０８ｂの背面、つまり、カバー側溶着部９０１との溶着面には、突起９０４が正面視逆コ字形状に形成されているとともに、突起９０４の内側の領域には、隆起部９０３が形成されている。
【０１０２】
図１４（Ｃ）（Ｄ）に示すように、カバー側溶着部９０１は、板状部材からなる。カバー側溶着部９０１における右側壁８５１ａ側には開口９０７ｂが形成されており、該開口９０７ｂの上下位置には、カバー側溶着部９０１よりも上下寸法が短い連結部９０９ａ，９０９ｂが形成されている。
【０１０３】
また、カバー側溶着部９０１及び連結部９０９ａ，９０９ｂの前面、つまり、ベース側溶着部９００との溶着面における突起９０４に対応する位置には、該突起９０４を収容可能な凹溝９０５が正面視逆コ字形状に形成されているとともに、該凹溝９０５の内側の領域には、２条の突起９０６ａ，９０６ｂが正面視逆コ字形状に形成されている。
【０１０４】
このように構成されたカバー側溶着部９０１とベース側溶着部９００とは、例えば超音波溶着機等を用いて超音波溶着される。具体的に説明すると、図１５に示すように、カバー部材８０２を第２閉塞位置に配置したとき、カバー側溶着部９０１とベース側溶着部９００とが対向配置される。このとき、突起９０４が凹溝９０５に対応する位置に配置されるとともに、突起９０６の頂部がベース側溶着部９００の溶着面である隆起部９０３に当接する。
【０１０５】
この状態で、特に図示しないが、カバー側溶着部９０１を溶着機の治具（図示略）の所定の設置面上にセットし、ベース側溶着部９００を治具（図示略）に向けて押圧して超音波振動させる。このとき、互いに平坦なカバー側溶着部９０１の溶着面とベース側溶着部９００の溶着面とは直接当接しておらず、突起９０６の頂部のみが隆起部９０３の溶着面に当接しており、突起９０６の頂部が溶けだすことになるので、平坦面状に形成されたカバー側溶着部９０１の溶着面とベース側溶着部９００の溶着面とを直接当接した状態で超音波振動を付与する場合に比べて均一な溶融状態をもたらすことができ、また安定した溶着強度を得ることが可能になるとともに、溶着部の発熱は急激で、短時間での溶着が可能となる為、樹脂の劣化も起きにくくなる。
【０１０６】
このようにカバー側溶着部９０１の溶着面とベース側溶着部９００の溶着面とが融解変形して溶着されて互いに一体化されるため、両者を剥離させることが極めて困難となる（図１５（Ｂ）中太線部が溶着部分を示す）。このようにカバー側溶着部９０１の溶着面とベース側溶着部９００の溶着面とが固着されることで、ベース部材８０１に対するカバー部材８０２のスライド移動が規制されるため、ベース部材８０１に対するカバー部材８０２の係止状態を解除することができなくなる。すなわち、カバー側溶着部９０１の溶着面とベース側溶着部９００の溶着面との溶着状態を解除しない限り、カバー部材８０２を開放することができない封止状態が形成される。
【０１０７】
ここで、例えばカバー部材８０２をベース部材８０１に対して係止解除方向に強制的にスライド移動させることでカバー側溶着部９０１とベース側溶着部９００とを剥離する場合、互いの対向面同士が融解して変形していることから、カバー側溶着部９０１及びベース側溶着部９００双方、つまりベース部材８０１及びカバー部材８０２双方に傷や変形痕が残ることになるため、カバー部材８０２が開放（開封）された可能性があることを確実に発見することができる。
【０１０８】
図１６には、例えば中古の遊技機等から、上記のように溶着により封止状態とされた２つの基板ケースＡ，Ｂを取得し、これら２つの基板ケースＡ，Ｂのうち一方からベース側溶着部９００が破壊されていないベース部材８０１を取得するとともに、他方からカバー側溶着部９０１が破壊されていないカバー部材８０２を取得し、これらベース部材８０１とカバー部材８０２とにより不正な演出用データＲＯＭ９９ａ〜９９ｄが搭載された演出ＲＯＭ基板９０ｂを収容した後、カバー側溶着部９０１とベース側溶着部９００とを溶着して新たに封止状態を形成する不正行為の一例が示されている。取得した基板ケースＡ，Ｂは、図１６（Ａ）に示すように、それぞれ前述した溶着方法により溶着され封止状態とされている。
【０１０９】
ここで、一方の基板ケースＡからベース側溶着部９００が破壊されていないベース部材８０１を取得する場合、ベース側溶着部９００の側面から溶着面とカバー側溶着部９０１の溶着面との接合面間にカッター等を差し込んで剥離することが好ましいが、封止状態において、カバー側溶着部９０１とベース側溶着部９００の左側面は規制部９０２ａにより覆われているため、カバー側溶着部９０１とベース側溶着部９００との接合面間にカッター等を差し込むことが極めて困難とされている。
【０１１０】
従って、図１６（Ｂ）中１点鎖線で示すように、カバー側溶着部９０１の一部を例えば図示しないルーター等の切削機により除去することが考えられる。しかしこの場合においても、カバー側溶着部９０１における溶着部の右端部が被覆部９０２ｂに差し掛かっていることで、ルーターにより切削したとしても、被覆部９０２ｂとベース側溶着部９００との間に差し込まれた残存溶着部９０１Ｐは残存することになる。
【０１１１】
また、他方の基板ケースＢからカバー側溶着部９０１が破壊されていないカバー部材８０２を取得する場合、同じようにカバー側溶着部９０１とベース側溶着部９００の側面から接合面間にカッター等を差し込んで剥離することが好ましいが、封止状態において、カバー側溶着部９０１とベース側溶着部９００の左側面は規制部９０２ａにより覆われているため、カッター等を差し込むことが極めて困難とされている。
【０１１２】
従って、図１６（Ｃ）中１点鎖線で示すように、カバー側溶着部９０１を前面側から例えば図示しないルーター等の切削機により除去することが考えられる。この場合は、溶着板部２６１における溶着部全域をルーターにより切削することができる。
【０１１３】
そして、図１６（Ｄ）に示すように、カバー側溶着部９０１とベース側溶着部９００の一方を除去することにより得られた基板ケースＡのベース部材８０１と基板ケースＢのカバー部材８０２とに、不正な演出用データＲＯＭ９９ａ〜９９ｄが搭載された演出ＲＯＭ基板９０ｂを収容して封止状態を形成する場合、基板ケースＡのベース側溶着部９００に残存溶着部９０１Ｐが残存しているため、基板ケースＢのカバー部材８０２のカバー側溶着部９０１の一部を予め切断しなければならない。これにより、カバー側溶着部９０１の先端と残存溶着部９０１Ｐとの間に切断部Ｃが残るため、不正に封止状態が形成されたことを目視により確認することができる。また、特にベース側溶着部９００は透明な合成樹脂材にて形成されているため、切断部Ｃが被覆部９０２ｂの先端辺部と重なるように配置されていても、ベース側溶着部９００を透して切断部Ｃを確認することができる。
【０１１４】
このように、中古の遊技機から２つの基板ケースＡ，Ｂを取得し、これら２つの基板ケースＡ，Ｂのうち一方からベース側溶着部９００が破壊されていないベース部材８０１を取得するとともに、他方からカバー側溶着部９０１が破壊されていないカバー部材８０２を取得し、これらベース部材８０１とカバー部材８０２とにより不正な演出用データＲＯＭ９９ａ〜９９ｄが搭載された演出ＲＯＭ基板９０ｂを収容した後、カバー側溶着部９０１とベース側溶着部９００を溶着して新たに封止状態を形成しようとしても、その痕跡が何らかの形態で残るため、不正行為が行われた可能性があることを確実に発見することができる。
【０１１５】
また、ベース部材８０１とカバー部材８０２の少なくとも一方に、封止を解除するとことで染料が封入された封入部を設け、ベース部材８０１とカバー部材８０２との封止を解除することで、封入部が破断し、内部の染料がにじみ出ることで、ベース部材８０１、カバー部材８０２に染料が付着する構成としても良く、このような構成とすることで、ベース部材８０１及びカバー部材８０２の再利用が困難となる。
【０１１６】
また、本実施例では、カバー側溶着部９０１に正面視略逆コ字形状の突起９０６ａ，９０６ｂが形成され、該突起９０６ａ，９０６ｂが溶解することで溶着部が形成されるようになっていることで、溶着の際に融解して押し潰されることにより形成される溶着部も略正面視略逆コ字形状のままとなり、しかもカバー側溶着部９０１とベース側溶着部９００が透明な合成樹脂材にて構成されていることで、これら正面視略逆コ字形状の溶着部を外部から視認することができる。これに対し図１６で示したような不正行為により封止状態を構成する場合、切削により突起９０６ａ，９０６ｂは除去されてしまっており、互いに平坦面状をなすカバー側溶着部９０１の溶着面とベース側溶着部９００の溶着面とを超音波溶着することになるので、硬化後の溶着部の形状が正面視略逆コ字形状に形成される正規な溶着部と異なるため、硬化後の溶着部の形状の違いによって不正行為が行われた可能性があることを確認することが可能となる。また、平坦面同士の溶着になることで、均一な溶融状態をもたらすことができず、また安定した溶着強度を得ることができない。
【０１１７】
封止状態を解除するには、例えば、封止片８６１ａ，８６１ｂの連結片８６３ｂをニッパ等の工具にて切断し、筒状部８６３ａとカバー部材８０２との連結状態を解除するとともに、カバー側溶着部９０１とベース側溶着部９００との連結部９０８ａ，９０８ｂ、９０９ａ，９０９ｂをカッター等により切断した後、カバー部材８０２をベース部材８０１に対して第２閉塞位置に向けてスライドさせる。つまり、係止片８７０ａ，８７０ｂを係止孔８２４ｈに差し込む方向に向けてスライドさせる。これにより、規制突起８６８ａ〜８６８ｄが第１溝８１８ｅまで移動するため（図９（Ｂ）参照）、規制溝８１８ａ〜８１８ｄによるカバー部材８０２の開放規制が解除される。
【０１１８】
次いで、係止片８７０ａ，８７０ｂが係止孔８２４ｈに奥深く差し込まれた第２閉塞位置から、係止杆８２５ｃを中心としてカバー部材８０２の右端を回転させ、ベース部材８０１に対してカバー部材８０２が起立する起立姿勢になったときに、カバー部材８０２を起立姿勢のままベース部材８０１に沿ってスライドさせることで、屈曲片８７１ｂを係止孔８２４ｈから抜き取ることが可能となる。
【０１１９】
このように、基板ケース８００は、封止状態において、封止片８１６ａ，８１６ｂの連結片８６３ｂの連結状態、ベース側溶着部９００及びカバー側溶着部９０１の連結部９０８ａ，９０８ｂ、９０９ａ，９０９ｂの連結状態、規制溝８１８ａ〜８１８ｄへの規制突起８６８ａ〜８６８ｄの嵌合状態、係止片８７０ａ，８７０ｂと被係止部材８２４ａ，８２４ｂとの係止状態のいずれかを解除しなければ封止状態を解除することはできない。これらいずれかを解除する場合、ベース部材８０１やカバー部材８０２の一部が破壊、切断、変形するなどして痕跡が残ることになる。
【０１２０】
また、封止状態において、図１１に示すように、演出用データＲＯＭ９９ａ〜９９ｄを被覆するＲＯＭカバー９２０が演出ＲＯＭ基板９０ｂにリベット９２２ａ〜９２２ｄにより取り付けられていることで、簡単な構造で演出用データＲＯＭ９９ａ〜９９ｄの取り外しを規制することができる。
【０１２１】
尚、本実施例では、例えば、演出用データＲＯＭ９９ａ〜９９ｄを検査する際に、リベット９２２ａ〜９２２ｄを切断することでＲＯＭカバー９２０を取り外し、再度リベット９２２ａ〜９２２ｄによりＲＯＭカバー９２０を取り付けることが可能となる構成、すなわちＲＯＭカバー９２０を再利用できる構成であるが、ＲＯＭカバー９２０を破壊しないとＲＯＭカバー９２０が取り外せない構成、すなわちＲＯＭカバー９２０を一度取り外すと再利用が不能となる構成としても良い。また、ＲＯＭカバー９２０に複数の取付部を設け、取付部を用いて演出ＲＯＭ基板９０ｂに取り付けると取付部を破壊しなければＲＯＭカバー９２０の取り外しが不能となるが、他の取付部を用いて演出ＲＯＭ基板９０ｂに取り付けることにより、ＲＯＭカバー９２０を再利用できる構成としても良い。
【０１２２】
また、本実施例では、カバー部材８０２の背板８５０の内面とＲＯＭカバー９２０の外面との間隔が、演出用データＲＯＭ９９ａ〜９９ｄを取り外し不能な間隔となる位置に演出ＲＯＭ基板９０ｂが配置されているため、図１１（Ｂ）に示すように、リベット９２２ａ〜９２２ｄが切断されてＲＯＭカバー９２０が演出ＲＯＭ基板９０ｂから取り外されたとしても、ＲＯＭカバー９２０がカバー部材８０２の背板８５０の内面に当接して演出用データＲＯＭ９９ａ〜９９ｄを被覆する被覆位置からずらすことができないため、演出用データＲＯＭ９９ａ〜９９ｄを取り外すことが極めて困難となる。
【０１２３】
尚、本実施例では、演出用データＲＯＭ９９ａ〜９９ｄがＲＯＭカバー９２０により被覆されていたが、本発明はこれに限定されるものではなく、ＲＯＭカバー９２０により被覆されなくても、基板ケース８００の内面である背板８５０の内面と演出用データＲＯＭ９９ａ〜９９ｄの上面との間隔が該演出用データＲＯＭ９９ａ〜９９ｄを取り外し不能な間隔となる位置に演出ＲＯＭ基板９０ｂが配置されていてもよい。
【０１２４】
具体的には、例えば、図１７（Ａ）に示すように、封止状態において、カバー部材８０２の背板８５０が演出用データＲＯＭ９９ａ〜９９ｄに近接して配置されており、取付片９１２ａ，９１２ｂを取付位置から非取付位置へ回動しようとしたときに、取付片９１２ａ，９１２ｂが背板８５０の内面に接触して非取付位置まで回動させることができないようにしてもよい。
【０１２５】
あるいは、非取付位置まで回動させることができても、演出用データＲＯＭ９９ａ〜９９ｄをソケットベース９１１から取り外したときに、ソケットベース９１１と背板８５０との内面との間から演出用データＲＯＭ９９ａ〜９９ｄを抜き取ることができないようになっていてもよい。このようにすることで、基板ケース８００に収納された状態では、基板ケース８００の内面によって演出ＲＯＭ基板９０ｂに装着された演出用データＲＯＭ９９ａ〜９９ｄを取り外すことが不能となる。
【０１２６】
また、上記のように、基板ケース８００の内面である背板８５０の内面と演出用データＲＯＭ９９ａ〜９９ｄの上面との間隔が該演出用データＲＯＭ９９ａ〜９９ｄを取り外し不能な間隔とならない位置に演出ＲＯＭ基板９０ｂが配置されていているような場合、例えば、図１７（Ｂ）に示すように、封止状態において、基板ケース８００の背板８５０の内面から内側に突出する突出部８５３を形成し、該突出部８５３の内面と演出用データＲＯＭ９９ａ〜９９ｄの上面との間隔が該演出用データＲＯＭ９９ａ〜９９ｄを取り外し不能な間隔となる位置に演出ＲＯＭ基板９０ｂが配置されるようにしてもよい。
【０１２７】
また、本実施例では、ＲＯＭソケット９１０は、取付片９１２ａ，９１２ｂの操作によりソケットベース９１１に取り付けられるようになっていたが、本発明はこれに限定されるものではなく、例えば、図１８に示すように、演出ＲＯＭ基板９０ｂに取り付けられたソケットベース９１１Ａに、演出用データＲＯＭ９９ｅから延出する接続端子９９ｆが挿入されることにより取り付けられるものにあっては、基板ケース８００の内面である背板８５０の内面と演出用データＲＯＭ９９ｅの上面との間隔が該演出用データＲＯＭ９９ｅを取り外し不能な間隔となる位置に演出ＲＯＭ基板９０ｂが配置されていてもよい。
【０１２８】
つまり、ソケットベース９１１Ａから演出用データＲＯＭ９９ｅを取り出しても、演出用データＲＯＭ９９ｅが背板８５０の内面と接触して接続端子９９ｆがソケットベース９１１Ａから抜き出せない構造とされていればよい。
【０１２９】
また、ＲＯＭソケット９１０は、演出用データＲＯＭ９９ａ〜９９ｄの取り外しに特殊な治具を要するため、基板ケース８００を開封せずに基板ケース８００に収納された演出ＲＯＭ基板９０ｂに装着された演出用データＲＯＭ９９ａ〜９９ｄを取り外すことが不能となる。
【０１３０】
また、本実施例では、封止状態において、痕跡を残さずにベース部材８０１とカバー部材８０２とを開封できないように封止する封止手段としての封止片８１５ａ，８１５ｂ、封止片８１６ａ，８１６ｂ及びワンウェイネジ８１６、ベース側溶着部９００及びカバー側溶着部９０１、規制溝８１８ａ〜８１８ｄ及び規制突起８６８ａ〜８６８ｄ、係止片８７０ａ，８７０ｂ及び被係止部材８２４ａ，８２４ｂが、基板ケース８００の周囲にわたり封止している。具体的には、基板ケース８００の上辺、下辺、左辺、右辺に封止手段が少なくとも１つずつ設けられている。そして、これら封止手段の少なくとも一部は、ベース部材８０１に連結部９０８ａ，９０８ｂを介して設けられたベース側溶着部９００と、カバー部材８０２に連結部９０９ａ，９０９ｂを介して設けられたカバー側溶着部９０１と、を有し、ベース側溶着部９００とカバー側溶着部９０１とを溶着することでベース部材８０１とカバー部材８０２とを開封できないように封止している。
【０１３１】
よって、基板ケース８００の周囲にわたり封止手段によりベース部材８０１とカバー部材８０２とが封止されるため、ベース部材８０１とカバー部材８０２との間に隙間を形成することが困難となり、ベース部材８０１とカバー部材８０２との間に形成された隙間を利用して、基板ケース８００を開封せずに演出ＲＯＭ基板９０ｂに装着された演出用データＲＯＭ９９ａ〜９９ｄを取り外して不正な部品に交換されることを防止できる。また、ベース側溶着部９００とカバー側溶着部９０１とを溶着することで封止するので、ベース部材８０１とカバー部材８０２との封止が強固となる。
【０１３２】
尚、本実施例では、ベース側溶着部９００とカバー側溶着部９０１とを溶着することでベース部材８０１とカバー部材８０２とを開封できないように封止しているが、本発明はこれに限定されるものではなく、溶着ではなく、接着により開封できないようにしてもよく、例えば、封止手段の少なくとも一部は、ベース部材８０１に連結部９０８ａ，９０８ｂを介して設けられたベース側接着部と、カバー部材８０２に連結部９０９ａ，９０９ｂを介して設けられたカバー側接着部９０１と、を有し、ベース側接着部９００とカバー側接着部９０１とを接着することでベース部材８０１とカバー部材８０２とを開封できないように封止してもよい。
【０１３３】
また、本実施例では、封止手段は、基板ケース８００の周囲にわたり複数個所に設けられていたが、本発明はこれに限定されるものではなく、基板ケースの全周にわたりベース部材８０１とカバー部材８０２との接合部を溶着または接着することで開封できないように封止するようにしてもよい。
【０１３４】
具体的には、図１９に示す変形例としての基板ケース８００Ａのように、ベース部材８０１Ａ及びカバー部材８０２Ａそれぞれの全周にわたり連続する接合片９３０，９３１を外方に延設し、これら接合片９３０，９３１同士を溶着または接着により接合することにより封止状態を形成するようにしてもよく、このようにすれば、ベース部材８０１Ａとカバー部材８０２Ａとの間に隙間が形成されることがない。
【０１３５】
また、接合片９３０，９３１の接合面にそれぞれ凹部９３２と凸部９３３とを形成し、凹部９３２に凸部９３３を嵌合した状態で接合片９３０，９３１を溶着することで、より隙間が形成されにくくなるとともに、溶着漏れがあったとしても、凹部９３２と凸部９３３との嵌合により隙間が形成されにくくなる。
【０１３６】
また、この場合、カバー部材８０２Ａの側壁内面の複数箇所からベース部材８０１Ａ側に向けて弾性係止爪９３４を形成し、ベース部材８０１Ａの側壁内面における各弾性係止爪９３４に対応する位置に、弾性係止爪９３４が弾性係止可能な係止部９３５を形成し、ベース部材８０１Ａとカバー部材８０２Ａとを組付けたときに、弾性係止爪９３４が係止部９３５に弾性係止されるようにしてもよい。
【０１３７】
これら弾性係止爪９３４と係止部９３５とは、基板ケース８００Ａの内部で係止状態となるので、一旦、ベース部材８０１Ａとカバー部材８０２Ａとを組付けて係止状態とすると、ベース部材８０１Ａやカバー部材８０２Ａを破壊しない限り、該係止状態を解除する、つまり、ベース部材８０１Ａとカバー部材８０２Ａとを開封することができない。すなわち、これら弾性係止爪９３４と係止部９３５とは、痕跡を残さずにベース部材８０１Ａとカバー部材８０２Ａとを開封できないように封止する封止手段を構成する。
【０１３８】
また、本実施例では、基板ケース８００は、ベース部材８０１とカバー部材８０２との間から進入を規制する進入規制手段の一例として、外側壁８１２ａ，８１２ｂと外側壁８５２ａ，８５２ｂ及びガイド壁８６７ａ，８６７ｂ、右側壁８１１と右側壁８５１ａ、左側壁８９０と左側壁８５１ｂが記載されていたが、本発明はこれに限定されるものではなく、ベース部材８０１やカバー部材８０２に形成された構造にて形成されるものでなくてもよく、例えば、図２０に示す変形例としての基板ケース８００Ｂに示すように、ベース部材８０１Ｂやカバー部材８０２Ｂとは別個に設けられた進入規制壁９４０にて進入規制手段を形成してもよい。
【０１３９】
具体的には、進入規制壁９４０は、基板ケース８００Ｂ内に収容可能な大きさを有し、収容されたときにベース部材８０１Ｂやカバー部材８０２Ｂの側壁の内面に沿って配置される正面視略四角枠状に形成されている。よって、特に図２０（Ｃ）に示すように、封止状態において、ベース部材８０１Ｂとカバー部材８０２Ｂとの接合部の内側に進入規制壁９４０が近接して配置されるので、ベース部材８０１Ｂやカバー部材８０２Ｂを捩るなどして接合部に隙間が生じたとしても、進入規制壁９４０があることにより、針金等の異物を内部に進入させたり、隙間から演出用データＲＯＭ９９ａ〜９９ｄを取り出したりすることができなくなる。
【０１４０】
このようにすることで、ベース部材８０１Ｂやカバー部材８０２Ｂの構造を複雑化することなく、針金等の異物を内部に進入することを規制することができる。
【０１４１】
また、本実施例では、封止手段としてのベース側溶着部９００とカバー側溶着部９０１とは、基板ケース８００の右側辺に１箇所のみ形成されていたが、本発明はこれに限定されるものではなく、図２０（Ａ）（Ｂ）に示すように、封止手段としてのベース側溶着部９５０とカバー側溶着部９５１とを、基板ケース８００の周囲にわたり複数設けてもよい。
【０１４２】
以上説明したように、本発明の実施例としてのスロットマシン１にあっては、遊技者に対して有利度を付与する制御に関連する電子部品としての演出用データＲＯＭ９９ａ〜９９ｄが装着される回路基板としての演出ＲＯＭ基板９０ｂと、演出ＲＯＭ基板９０ｂを収納する基板ケース８００と、痕跡を残さずに基板ケース８００を開封できないように封止する封止手段としての封止片８１５ａ，８１５ｂ、封止片８１６ａ，８１６ｂ及びワンウェイネジ８１６、ベース側溶着部９００及びカバー側溶着部９０１、規制溝８１８ａ〜８１８ｄ及び規制突起８６８ａ〜８６８ｄ、係止片８７０ａ，８７０ｂ及び被係止部材８２４ａ，８２４ｂと、基板ケース８００に収納された演出ＲＯＭ基板９０ｂに装着された演出用データＲＯＭ９９ａ〜９９ｄの取り外しを規制する取り外し規制手段として、ＲＯＭカバー９２０を備える。
【０１４３】
このようにすることで、基板ケース８００に収納された演出ＲＯＭ基板９０ｂに装着された演出用データＲＯＭ９９ａ〜９９ｄの取り外しが規制されるため、基板ケース８００を開封せずに演出ＲＯＭ基板９０ｂに装着された演出用データＲＯＭ９９ａ〜９９ｄを取り外して不正な部品に交換されることを防止できる。
【０１４４】
また、本実施例では、規制手段として、演出ＲＯＭ基板９０ｂに取り付けられ、演出用データＲＯＭ９９ａ〜９９ｄの少なくとも一部を被覆する被覆部材としてのＲＯＭカバー９２０を適用しており、簡単な構造で基板ケース８００に収納された演出ＲＯＭ基板９０ｂに装着された演出用データＲＯＭ９９ａ〜９９ｄの取り外しを規制することができる。
【０１４５】
尚、本実施例では、ＲＯＭカバー９２０が演出ＲＯＭ基板９０ｂに直接取り付けられる構成であるが、演出ＲＯＭ基板９０ｂに設けられた取付部材を介してＲＯＭカバー９２０を取り付けるようにしても良い。
【０１４６】
また、本実施例では、規制手段として、演出用データＲＯＭ９９ａ〜９９ｄなどの取り外しに特殊な治具（図示略）を要するＲＯＭソケット９１０を含むことで、演出用データＲＯＭ９９ａ〜９９ｄの取り外しに特殊な治具を要するため、基板ケース８００を開封せずに基板ケース８００に収納された演出ＲＯＭ基板９０ｂに装着された演出用データＲＯＭ９９ａ〜９９ｄを取り外すことが不能となる。
【０１４７】
また、規制手段として、基板ケース８００に演出ＲＯＭ基板９０ｂが収納された状態において、基板ケース８００の内面と演出用データＲＯＭ９９ａ〜９９ｄの上面との間隔が該演出用データＲＯＭ９９ａ〜９９ｄを取り外し不能な間隔となる位置に演出ＲＯＭ基板９０ｂが配置される構造（図１１（Ａ）（Ｂ）、図１７（Ａ）（Ｂ）、図１８（Ａ）（Ｂ）参照）としてもよく、このような構造とすることで、基板ケース８００に収納された状態では、基板ケース８００の内面によって演出ＲＯＭ基板９０ｂに装着された演出用データＲＯＭ９９ａ〜９９ｄを取り外すことが不能となる。
【０１４８】
また、規制手段として、基板ケース８００の内側における演出用データＲＯＭ９９ａ〜９９ｄの対応する位置に突出部８５３を有し、基板ケース８００に演出ＲＯＭ基板９０ｂが収納された状態において、突出部８５３と演出用データＲＯＭ９９ａ〜９９ｄの上面との間隔が該演出用データＲＯＭ９９ａ〜９９ｄを取り外し不能な間隔となる構造（図１７（Ｂ）参照）としてもよく、基板ケース８００に収納された状態では、突出部によって演出ＲＯＭ基板９０ｂに装着された演出用データＲＯＭ９９ａ〜９９ｄを取り外すことが不能となる。
【０１４９】
また、本実施例では、基板ケース８００は、ベース体としてのベース部材８０１とカバー体としてのカバー部材８０２とからなり、ベース部材８０１とカバー部材８０２との間に演出ＲＯＭ基板９０ｂを収納し、ベース部材８０１とカバー部材８０２との隙間が形成されない構成であるが、隙間が形成される構成としても良く、隙間が形成される構成においては、その隙間が演出用データＲＯＭ９９ａ〜９９ｄの厚みよりも小さくすることが好ましく、このようにすることでベース部材８０１とカバー部材８０２との隙間を介して演出ＲＯＭ基板９０ｂに装着された演出用データＲＯＭ９９ａ〜９９ｄの交換が不能となる。
【０１５０】
また、本実施例では、遊技者に対して有利度を付与する制御に関連する電子部品としての演出用データＲＯＭ９９ａ〜９９ｄが装着される回路基板としての演出ＲＯＭ基板９０ｂと、演出ＲＯＭ基板９０ｂを収納する基板ケース８００と、痕跡を残さずに基板ケース８００を開封できないように封止する封止手段としての封止片８１５ａ，８１５ｂ、封止片８１６ａ，８１６ｂ及びワンウェイネジ８１６、ベース側溶着部９００及びカバー側溶着部９０１、規制溝８１８ａ〜８１８ｄ及び規制突起８６８ａ〜８６８ｄ、係止片８７０ａ，８７０ｂ及び被係止部材８２４ａ，８２４ｂと、を備え、前記封止手段は、基板ケース８００の周囲にわたり封止し、該封止手段の少なくとも一部は、ベース部材８０１に連結部９０８ａ，９０８ｂを介して設けられたベース体側溶着部としてのベース側溶着部９００と、カバー部材８０２に連結部９０９ａ，９０９ｂを介して設けられたカバー体側溶着部としてのカバー側溶着部９０１と、を有し、ベース側溶着部９００とカバー側溶着部９０１とを溶着することでベース部材８０１とカバー部材８０２とを開封できないように封止する（図９参照）。
【０１５１】
このようにすることで、基板ケース８００の周囲にわたり封止手段によりベース部材８０１とカバー部材８０２とが封止されるため、ベース部材８０１とカバー部材８０２との間に隙間を形成することが困難となり、ベース部材８０１とカバー部材８０２との間に形成された隙間を利用して、基板ケース８００を開封せずに演出ＲＯＭ基板９０ｂに装着された演出用データＲＯＭ９９ａ〜９９ｄを取り外して不正な部品に交換されることを防止できる。また、封止手段の少なくとも一部は、ベース部材８０１に連結部９０８ａ，９０８ｂを介して設けられたベース側溶着部９００と、カバー部材８０２に連結部９０９ａ，９０９ｂを介して設けられたカバー側溶着部９０１と、を溶着することでベース部材８０１とカバー部材８０２とを開封できないように封止するので、ベース部材８０１とカバー部材８０２との封止が強固となる。
【０１５２】
尚、本実施例では、ベース部材８０１に連結部９０８ａ，９０８ｂを介して設けられたベース側溶着部９００と、カバー部材８０２に連結部９０９ａ，９０９ｂを介して設けられたカバー側溶着部９０１と、を溶着する構成であるが、ベース部材８０１に連結部９０８ａ，９０８ｂを介して設けられたベース側溶着部９００と、カバー部材８０２に連結部９０９ａ，９０９ｂを介して設けられたカバー側溶着部９０１と、を接着する構成としても良く、このような構成であっても、ベース部材８０１とカバー部材８０２との封止が強固となる。
【０１５３】
また、封止手段は、基板ケース８００の全周にわたりベース部材８０１とカバー部材８０２との接合部を溶着または接着することでベース部材８０１とカバー部材８０２とを開封できないように封止する構成としてもよく、このようにすることで、ベース部材８０１とカバー部材８０２との接合部が全周にわたり溶着または接着されるので、ベース部材８０１とカバー部材８０２との間に隙間が形成されることがない。
【０１５４】
また、基板ケース８００の周囲にわたり封止手段によりベース部材８０１とカバー部材８０２とが封止されるとは、必ずしも、全周囲にわたり封止される必要はなく、本実施例のように基板ケース８００の周囲にわたり間隔を空けて設けられた複数の封止手段によりベース部材８０１とカバー部材８０２とが封止される構成であれば良い。
【０１５５】
また、封止手段は、基板ケース８００の全周にわたり、剥がした際に痕跡が残るシール（いわゆる封印シール）を貼着することでベース部材８０１とカバー部材８０２とを開封できないように封止する構成としてもよく、このようにすることで、ベース部材８０１とカバー部材８０２との接合部が全周にわたり、剥がした際に痕跡が残るシールが貼着されるので、痕跡を残さずにベース部材８０１とカバー部材８０２との間に隙間が形成することが不能となる。
【０１５６】
また、封止手段は、基板ケース８００の周囲にわたり複数設けられていることが好ましく、このようにすることで、ベース部材８０１とカバー部材８０２との接合部が全周にわたり複数箇所で溶着または接着されるので、ベース部材８０１とカバー部材８０２との間に隙間が形成され難くできる。特に、基板ケース８００の各辺に１個以上、封止手段が設けられていることが好ましく、このような構成とすることで、ベース部材８０１とカバー部材８０２との間に隙間が形成されることをより確実に防止できる。
【０１５７】
また、封止手段は、ベース部材８０１またはカバー部材８０２の一方の長辺全体に断面視略Ｃ字状の溝部を形成し、ベース部材８０１またはカバー部材８０２の一方の長辺全体に溝部に嵌合するレール部を形成し、溝部にレール部を嵌合させることでベース部材８０１及びカバー部材８０２が封止されるようにしてもよく、このような構成とすることで、ベース部材８０１とカバー部材８０２との間に隙間が形成されやすい長辺の接合部に隙間が形成されることを防止できる。
【０１５８】
また、本実施例では、基板ケース８００は、ベース部材８０１とカバー部材８０２との間から進入を規制する進入規制手段として、外側壁８１２ａ，８１２ｂと外側壁８５２ａ，８５２ｂ及びガイド壁８６７ａ，８６７ｂ、右側壁８１１と右側壁８５１ａ、左側壁８９０と左側壁８５１ｂを備えることで、ベース部材８０１とカバー部材８０２との間に形成された隙間からの進入が規制されるので、基板ケース８００を開封せずに演出ＲＯＭ基板９０ｂに装着された演出用データＲＯＭ９９ａ〜９９ｄを取り外して不正な部品に交換されることを防止できる。
【０１５９】
また、カバー部材８０２の外側壁８５２ａ、８５２ｂ等、カバー部材８０２とベース部材８０１の接合部付近を背板８５０等、他の部分よりも肉厚とする構成にしても良く、このような構成とすることで、基板ケース８００を捩ってもベース部材８０１とカバー部材８０２との間に隙間が形成され難くできる。
【０１６０】
また、本実施例では、ベース部材８０１とカバー部材８０２とを一体に取り付けた場合に、その後、開封した場合に基板ケース８００の再利用ができなくなる構成であるが、予備の封止部を設け、開封後、予備の封止部を用いて封止可能とすることで、基板ケース８００の再度の利用が可能となる構成としても良い。
【０１６１】
また、本実施例では、基板ケース８００が、前面扉１ｂに設置された取付板３６０に、痕跡を残すことなく取り外しが不能となるように取り付けられる構成であるが、基板ケース８００が、前面扉１ｂまたは筐体１ａに対して直接、痕跡を残すことなく取り外しが不能となるように取り付けられる構成としても良い。また、取付板３６０、前面扉１ｂ、筐体１ａ等に取り付けるための封止部を、複数設けることで、取り外し後、予備の封止部を用いて取付可能とすることで、基板ケース８００の再度の利用が可能となる構成としても良い。
【０１６２】
また、本実施例では、演出用データＲＯＭとして書き換え可能なフラッシュＲＯＭを用いているが、製造工場において書き込みのみ可能なＲＯＭ（プロダクションプログラムＲＯＭ）を用いても良く、これによりＲＯＭの偽造がし難くなるため、不正なＲＯＭに交換する不正を防止できる。
【０１６３】
以上、本発明の実施例を図面により説明してきたが、本発明はこの実施例に限定されるものではなく、本発明の主旨を逸脱しない範囲における変更や追加があっても本発明に含まれることは言うまでもない。
【０１６４】
例えば、上記実施例では、電子部品として遊技者に対して有利度を付与する制御を行うサブ制御部９１のプログラムや演出データが格納された演出用データＲＯＭ９９ａ〜ｄが適用されているが、電子部品として、サブ制御部９１を構成するマイクロコンピュータ、サブ制御部９１が遊技者の有利度を決定する抽選に用いる乱数を生成する乱数回路、有利度を付与する制御を行うメイン制御部４１のプログラムや演出データが格納された遊技用ＲＯＭ、メイン制御部４１を構成するマイクロコンピュータ、メイン制御部４１が遊技者の有利度を決定する抽選に用いる乱数を生成する乱数回路等を適用しても良い。また、メダルの払出等を、別個の払出制御用のマイクロコンピュータで行う場合には、払出制御用のマイクロコンピュータ、払出制御用のマイクロコンピュータのプログラム等が格納されたＲＯＭを適用しても良い。
【０１６５】
また、本実施例では、遊技機としてスロットマシンを例示しているが、パチンコ球を用いて遊技を行うパチンコ遊技機を適用しても良い。この場合にも、電子部品として、有利度を付与する制御を行う遊技制御用マイクロコンピュータのプログラムや演出データが格納された遊技用ＲＯＭ、遊技制御用マイクロコンピュータ、遊技制御用マイクロコンピュータが遊技者の有利度を決定する抽選に用いる乱数を生成する乱数回路、パチンコ球の払出制御を行う払出制御用マイクロコンピュータ、払出制御用マイクロコンピュータのプログラム等が格納されたＲＯＭ等を適用しても良い。
【０１６６】
ここで遊技者に対して付与する有利度とは、メダルやパチンコ球等の遊技に用いる遊技媒体、遊技者所有の遊技媒体として記憶された遊技価値（いわゆるクレジット）、遊技者にとって有利な特典などが該当する。
【０１６７】
また、遊技者にとって有利な特典とは、遊技者にとって有利な有利状態（大当り状態、確率変動状態、時短状態、ボーナス、ＡＴ（アシストタイム）、ＲＴ（リプレイタイム）、ＡＲＴ（アシストリプレイタイム）等）へ移行させることが可能となる権利（有利状態を発生するか否かを決定する抽選に当選すること、有利状態へ移行する入賞が許容されることなど）、遊技者にとって有利な操作態様が報知される権利、遊技用価値が付与される期待値が高い遊技状態に制御される権利、現在の遊技状態が遊技者にとって有利な遊技状態か否かが報知される権利、有利状態に制御される期間（固定回数、終了条件によって変化し得る回数の平均値等）など、遊技者にとって直接的な有利な特典であっても良いし、遊技者にとって直接的に有利ではないが、例えば、インターネット上で特典を得るための条件となる等、遊技者にとって間接的に有利な特典であっても良い。
【０１６８】
また、上記実施例では、電子部品として演出用データＲＯＭ９９ａ〜ｄが装着された演出ＲＯＭ基板９０ｂを基板ケース８００に収納し、痕跡を残さずに基板ケースを開封できない構成であるが、少なくとも遊技者に対して有利度を付与する制御に関連する電子部品が装着された回路基板を基板ケースに収納し、痕跡を残さずに基板ケースを開封できない構成において、上記実施例のように基板ケースを開封せずに電子部品の交換が不能または困難となる構成であれば上記実施例と同様の効果を得られるものであり、例えば、遊技の制御を行う電子部品、遊技の制御に用いるプログラムやデータ等が格納された電子部品等が装着された遊技制御基板を基板ケースに収納し、痕跡を残さずに基板ケースを開封できない構成において、上記実施例のように基板ケースを開封せずに電子部品の交換が不能または困難となる構成としても良いし、遊技価値（メダル、パチンコ球等）の払出制御を行う電子部品が装着された払出制御基板及び払出制御基板を収納ケースに収納し、痕跡を残さずに基板ケースを開封できない構成において、上記実施例のように基板ケースを開封せずに電子部品の交換が不能または困難となる構成としても良い。
【０１６９】
また、上記実施例では、遊技機に搭載された電子部品、電子部品が装着された回路基板、回路基板を収納する収納ケースについて、本発明を適用した例について説明しているが、遊技機の周辺装置（例えば、カードユニット等）において、遊技者に対して有利度を付与する電子部品を備える場合には、当該周辺装置に搭載された電子部品、電子部品が装着された回路基板、回路基板を収納する収納ケースについて本発明を適用しても良い。また、遊技機の周辺装置としては、遊技機と接続されて用いられ、遊技媒体の払出、クレジットの管理等を行う遊技用装置を適用しても良い。
【符号の説明】
【０１７０】
１  スロットマシン
２Ｌ、２Ｃ、２Ｒ  リール
８Ｌ、８Ｃ、８Ｒ  ストップスイッチ
４０  遊技制御基板
４１  メイン制御部
９０ａ  演出制御基板
９０ｂ  演出ＲＯＭ基板
９１  サブ制御部
９９ａ〜ｄ  演出用データＲＯＭ
８００  基板ケース
８０１  ベース部材
８０２  カバー部材
【図１】
2015171444.tif 000003
【図２】
2015171444.tif 000004
【図３】
2015171444.tif 000005
【図４】
2015171444.tif 000006
【図５】
2015171444.tif 000007
【図６】
2015171444.tif 000008
【図７】
2015171444.tif 000009
【図８】
2015171444.tif 000010
【図９】
2015171444.tif 000011
【図１０】
2015171444.tif 000012
【図１１】
2015171444.tif 000013
【図１２】
2015171444.tif 000014
【図１３】
2015171444.tif 000015
【図１４】
2015171444.tif 000016
【図１５】
2015171444.tif 000017
【図１６】
2015171444.tif 000018
【図１７】
2015171444.tif 000019
【図１８】
2015171444.tif 000020
【図１９】
2015171444.tif 000021
【図２０】
2015171444.tif 000022